(57)【要約】【課題】  帯電ロールに付着する付着物に起因する画質の劣化が抑制された画像形成装置を提供する。【解決手段】  像担持体に接触して配置されて像担持体の回転と共に回転し、電圧の印加を受けて該像担持体を帯電させる帯電ロールと、帯電ロールに接触した接触位置と帯電ロールから離間した離間位置との間で移動する拭取パッドと、拭取パッドに水を供給する水供給部とを備え、拭取パッドは、水の供給を受けて濡れた状態で帯電ロール上の付着物を拭き取るものである。【選択図】        図２
2007147713.tif 000002
【特許請求の範囲】
【請求項１】
回転しながら帯電され、静電潜像の形成およびトナーでの現像を受けてトナー像を担持する像担持体を備え、該像担持体上のトナー像を最終的に記録媒体上に転写および定着することにより該記録媒体上に定着トナー像からなる画像を形成する画像形成装置において、
前記像担持体に接触して配置されて該像担持体の回転と共に回転し、電圧の印加を受けて該像担持体を帯電させる帯電ロールと、
前記帯電ロールに接触した接触位置と該帯電ロールから離間した離間位置との間で移動する拭取パッドと、
前記拭取パッドに水を供給する水供給部とを備え、
前記拭取パッドは、水の供給を受けて濡れた状態で前記帯電ロール上の付着物を拭き取るものであることを特徴とする画像形成装置。
【請求項２】
前記水供給部が、水を溜めておくタンクと、該タンク内の水を前記拭取パッドに供給する供給部とを有するものであることを特徴とする請求項１記載の画像形成装置。
【請求項３】
前記拭取パッドと一体的に移動して、該拭取パッドの前記接触位置への移動に伴って、該拭取パッドの前記帯電ロールへの接触位置より該帯電ロールの回転方向下流側の位置であって該帯電ロールと前記像担持体との接触位置よりも上流側の位置に接触すると共に、前記拭取パッドの前記離間位置への移動に伴って前記帯電ロールから離間する、該拭取パッドによる拭取りで濡れた帯電ロール上の水を吸収する水吸収パッドを備えたことを特徴とする請求項１記載の画像形成装置。
【請求項４】
前記水が、ｐＨが５以上１０以下のものであることを特徴とする請求項１記載の画像形成装置。
【請求項５】
前記水が、濁度が２度以下のものであることを特徴とする請求項１記載の画像形成装置。
【請求項６】
前記拭取パッドは、１立方センチメートルあたりの水の含有量が０．０１ｍｌ以上１０ｍｌ以下のものであることを特徴とする請求項１記載の画像形成装置。
【請求項７】
前記拭取パッドが前記離間位置にあるときに、該拭取パッドが前記帯電ロール上から拭き取った付着物を、該拭取パッドの、前記帯電ロールとの接触面に沿って移動することで除去するスクレーパを備えたことを特徴とする請求項１記載の画像形成装置。
【請求項８】
前記帯電ロールが、前記像担持体の下方に配備されたものであり、前記拭取パッドが、帯電ロールの下方に接離するものであって、
前記拭取パッドのさらに下方であって、前記離間位置にある該拭取パッドとの干渉を避けた位置に水を吸収する高分子ポリマを備えたことを特徴とする請求項１記載の画像形成装置。
【請求項９】
前記拭取パッドの、前記拭取位置から前記離間位置への移動開始からの経過時間を計測するタイマを備え、
該画像形成装置は、画像の形成を、前記タイマでの計測時間が所定時間経過した後に行うものであることを特徴とする請求項１記載の画像形成装置。
【請求項１０】
前記拭取パッドの、前記拭取位置から前記離間位置への移動開始を検知するセンサと、
前記帯電ロールの周囲のエアーを換気する換気装置とを備え、
前記換気装置が、前記拭取パッドの移動開始が検知されてから所定時間動作するものであることを特徴とする請求項１記載の画像形成装置。
【発明の詳細な説明】
【技術分野】
【０００１】
本発明は、記録媒体上に定着トナー像からなる画像を形成する画像形成装置に関する。
【背景技術】
【０００２】
従来より、回転しながら帯電され、静電潜像の形成およびトナーでの現像を受けてトナー像を担持する像担持体を備え、この像担持体上のトナー像を最終的に記録媒体上に転写および定着することにより記録媒体上に定着トナー像からなる画像を形成する画像形成装置が知られている。
【０００３】
この様な画像形成装置のなかには、電圧が印加された帯電ロールを像担持体に接触させて像担持体の帯電を行うものがあり、また、この様な画像形成装置では、画質の劣化を抑制するために、帯電ロールにブラシを押し当てて、帯電ロールに付着する付着物を清掃する提案がなされている（特許文献１参照）。
【特許文献１】特開平０９−０９６９５３号公報
【発明の開示】
【発明が解決しようとする課題】
【０００４】
しかしながら、上記提案の画像形成装置においても、帯電ロールに付着する付着物に起因する画質の劣化が報告されている。
【０００５】
本発明は、上記事情に鑑み、帯電ロールに付着する付着物に起因する画質の劣化が抑制された画像形成装置を提供することを目的とする。
【課題を解決するための手段】
【０００６】
上記目的を達成するための本発明の画像形成装置は、
回転しながら帯電され、静電潜像の形成およびトナーでの現像を受けてトナー像を担持する像担持体を備え、この像担持体上のトナー像を最終的に記録媒体上に転写および定着することによりこの記録媒体上に定着トナー像からなる画像を形成する画像形成装置において、
上記像担持体に接触して配置されてこの像担持体の回転と共に回転し、電圧の印加を受けてこの像担持体を帯電させる帯電ロールと、
上記帯電ロールに接触した接触位置とこの帯電ロールから離間した離間位置との間で移動する拭取パッドと、
上記拭取パッドに水を供給する水供給部とを備え、
上記拭取パッドは、水の供給を受けて濡れた状態で上記帯電ロール上の付着物を拭き取るものであることを特徴とする。
【０００７】
本発明の画像形成装置では、水で濡れた拭取パッドを、帯電ロール上の付着物の拭取りに用いていることから、帯電ロールへの付着物の付着力を水で弱めながら付着物の拭取りを行うことができ、従来よりも付着物を拭うことできる。したがって、本発明の画像形成装置によれば、帯電ロールに付着する付着物に起因する画質の劣化を抑制することができる。
【０００８】
ここで、上記水供給部が、水を溜めておくタンクと、このタンク内の水を上記拭取パッドに供給する供給部とを有するものであることが好ましい。
【０００９】
この様にすると、拭取効果を安定させることができる。
【００１０】
また、上記拭取パッドと一体的に移動して、上記拭取パッドの上記接触位置への移動に伴って、この拭取パッドの上記帯電ロールへの接触位置よりこの帯電ロールの回転方向下流側の位置であってこの帯電ロールと上記像担持体との接触位置よりも上流側の位置に接触すると共に、上記拭取パッドの上記離間位置への移動に伴って上記帯電ロールから離間する、この拭取パッドによる拭取りで濡れた帯電ロール上の水を吸収する水吸収パッドを備えることも好ましい態様である。
【００１１】
この様にすると、用いた水の回収が確実となり、より一層画質の劣化を抑制することができる。
【００１２】
ここで、上記水が、ｐＨが５以上１０以下のものであることが好ましく、また、濁度が２度以下のものであることも好ましい態様である。
【００１３】
この様にすると、像担持体および帯電ロールの物性に悪影響を与えずに済ますことができ、より一層画質の劣化を抑制することができる。
【００１４】
また、上記拭取パッドが、１立方センチメートルあたりの水の含有量が０．０１ｍｌ以上１０ｍｌ以下のものであることが好ましい。
【００１５】
この様にすると、効率よく付着物を拭き取ることができる。
【００１６】
ここで、上記拭取パッドが上記離間位置にあるときに、この拭取パッドが上記帯電ロール上から拭き取った付着物を、この拭取パッドの、上記帯電ロールとの接触面に沿って移動することで除去するスクレーパを備えたことが好ましい。
【００１７】
この様にすると、帯電ロールから拭取パッドで拭き取った付着物を再び帯電ロールに戻してしまうことを防止することができ、より一層画質の劣化を抑制することができる。
【００１８】
また、上記帯電ロールが、上記像担持体の下方に配備されたものであり、上記拭取パッドが、帯電ロールの下方に接離するものであって、
上記拭取パッドのさらに下方であって、上記離間位置にあるこの拭取パッドとの干渉を避けた位置に水を吸収する高分子ポリマを備えたことも好ましい態様である。
【００１９】
この様にすると、拭取パッドへの水の供給が故障により過多となった場合でも、拭取パッドから装置内の他の部材に水が掛かってしまう事態を抑制することができる。
【００２０】
ここで、上記拭取パッドの、上記拭取位置から上記離間位置への移動開始からの経過時間を計測するタイマを備え、
この画像形成装置は、画像の形成を、上記タイマでの計測時間が所定時間経過した後に行うものであることが好ましく、また、上記拭取パッドの、上記拭取位置から上記離間位置への移動開始を検知するセンサと、上記帯電ロールの周囲のエアーを換気する換気装置とを備え、上記換気装置が、上記拭取パッドの移動開始が検知されてから所定時間動作するものであることも好ましい態様である。
【００２１】
この様にすると、拭取りに使用した水が、帯電ロールから像担持体に移ることを防止でき、より一層画質の劣化を抑制することができる。
【発明の効果】
【００２２】
本発明の画像形成装置によれば、帯電ロールに付着する付着物に起因する画質の劣化が抑制された画像形成装置を提供することができる。
【発明を実施するための最良の形態】
【００２３】
以下、本発明の実施形態について説明する。
【００２４】
図１は、本発明の画像形成装置の一実施形態の概略構成図である。
【００２５】
図１には、本実施形態であるプリンタ１が示されており、このプリンタ１は、下部に備えた給紙トレイ２０に収容された用紙を用紙引出部３０によって引き出し、この引き出した用紙を搬送路に沿って画像形成部１０へと搬送して、画像形成部の、後述する感光体１１の表面に形成したトナー像を用紙上に転写および定着することにより用紙上に定着トナー像からなるモノクロ画像を形成するプリンタである。
【００２６】
画像形成部１０は、感光体１１、帯電ロール１２、露光器１３、現像ロール１４１を有する現像器１４、転写ロール１５、および定着器１６を備えている。
【００２７】
また、図１には、帯電ロール１２に下方に配備された帯電ロールクリーナ部１７が示されており、この帯電ロールクリーナ部１７は、詳しくは後述するが、回転する感光体１１に接触しながら回転している帯電ロール１２の表面に付着した、放電生成物などの付着物の拭取りを、帯電ロール１２に対して接離自在の、水の供給を受けて濡れた状態で行う拭取パッド１７１を有している。
【００２８】
図２は、図１に示す帯電ロールクリーナ部の詳細図である。
【００２９】
図２に示す帯電ロールクリーナ部１７は、水の供給を受けて帯電ロール１２に付着した付着物を拭き取る拭取パッド１７１と、この拭取パッド１７１が載置された載置台１７７と、この拭取パッド１７１と凸部１７７ａを隔てて載置台１７７に載置された、拭取パッド１７１による拭取りで濡れた帯電ロール１２の表面の水を吸収する水吸収パッド１７２と、載置台１７７の下面に接触してこの載置台１７７を上下に移動させる回動アーム１７３と、帯電ロール１２に対して固定的に配備され、載置台１７７の上下方向への移動の際のガイドとなるガイド部材１７０と、拭取パッド１７１に水を供給する水供給部１７８と、載置台１７７の下方に配備され、水を吸収する高分子ポリマ１７６が収容された容器１７５とで構成されている。図２（ａ）に示す制御部１８は、このプリンタ全体を制御しており、回動アーム１７３の動作もこの制御部１８によって制御されている。
【００３０】
図２（ａ）に示す載置台１７７には、図２（ａ）における右側に、１立方センチメートルあたりの水の含有量が０．０１ｍｌ以上１０ｍｌ以下である拭取パッド１７１、左側に水吸収パッド１７２が載置されている様子が示されており、右側の拭取パッド１７１に対して、左側の水吸収パッド１７２は、拭取パッド１７１の帯電ロール１２への接触位置より帯電ロール１２の回転方向下流側の位置であって、帯電ロール１２と感光体１１との接触位置よりも上流側の位置で帯電ロール１２に接触している。
【００３１】
また、この載置台１７７は、前述した様に、ガイド部材１７０の中を、回動アーム１７３の上方向への移動により帯電ロール１２に近づいて、図２（ａ）に示す、拭取パッド１７１および水吸収パッド１７２を帯電ロール１２に接触させた接触位置と、回動アーム１７３の下方向への移動により帯電ロール１２から離れて、図２（ｂ）に示す、拭取パッド１７１および水吸収パッド１７２を帯電ロール１２から離間させた離間位置との間で移動自在となっている。
【００３２】
図２に示す回動アーム１７３の端部は、ステッピングモータ１７４の回転軸１７４ａに連結されており、前述したように、制御部１８は、このステッピングモータ１７４の制御を通じて載置台１７７の位置を制御している。
【００３３】
図２（ａ）に示す水供給部１７８は、水が溜められたタンク１７８３と、タンク１７８３の水を拭取パッド１７１に導くビニールパイプ１７８２と、タンク１７８３の水をビニールパイプ１７８２を通じて図２（ａ）における手前側と奥側とに延びる拭取パッド１７１に分配する分配器１７８１とで構成されている。尚、タンク１７８３には、ｐＨが７で濁度が２度の水が溜められており、このタンク１７８３への水の補充は、サービスマンがキャップ１７８３ａを外して行っている。
【００３４】
本実施形態のプリンタ１は、帯電ロール１２に付着する付着物に起因する画質の低下を抑制するために、帯電ロール１２をクリーニングする帯電ロールクリーナ部１７を備えており、載置台１７７に載置した、水によって濡れた状態の拭取パッド１７１および水を吸収する水吸収パッド１７２を帯電ロール１２に押し当てることで、水を含んだ拭取パッド１７１に含まれている水で帯電ロール１２に付着した付着物の付着力を弱めながらこの付着物を拭き取ると共に、帯電ロール１２に付着した水を水吸収パッド１７２で吸収する。これにより、本実施形態のプリンタ１によれば、帯電ロール１２に付着する付着物に起因する画質の劣化を抑制することができる。
【００３５】
ここで、図２（ｂ）には、図２（ａ）における図示は煩雑になるために省略したスクレーパ１７９１と、このスクレーパ１７９１が螺合された螺旋棒１７９２とで構成された掻取部１７９が示され、スクレーパ１７９１が、図２における奥側に位置している様子が示されている。
【００３６】
図３は、掻取部の詳細図である。
【００３７】
図３に示すスクレーパ１７９１は、拭取パッド１７１の、帯電ロール１２との接触面と接触する高さで根元部分が螺旋棒１７９２と螺合しており、この螺旋棒１７９２は、ガイド部材１７０の内部に支持されていると共に、図３には不図示のモータの回転軸に端部が連結されている。したがって、不図示のモータの回転方向を制御することで、スクレーパ１７９１を螺旋棒１７９２に沿って往復させることができるようになっている。
【００３８】
このスクレーパ１７９１は、載置台１７７が図２（ａ）に示す接触位置に有り、拭取パッド１７１および水吸収パッド１７２が帯電ロール１２に接触している間は、これら帯電ロール１２と拭取パッド１７１の間に挟まれないように図２における奥側に待機し、図２（ｂ）に示す様に、載置台１７７が離間位置に退避して拭取パッド１７１および水吸収パッド１７２が帯電ロール１２から離間している間に、螺旋棒１７９２が回転することで図２における奥側と手前側を往復して拭取パッド１７１の、帯電ロール１２との接触面側に付着した、帯電ロール１２から拭き取った付着物の掻取りを行う。これにより、本実施形態のプリンタ１では、帯電ロール１２から拭き取った付着物を再び帯電ロール１２に付着させてしまう事態の防止が図られている。
【００３９】
また、図２に示す載置台１７７のさらに下方であって、離間位置にある載置台１７７との干渉を避けた位置には、容器１７５に収容された高分子ポリマ１７６が示されており、このプリンタ１では、分配機１７８１の故障などにより、拭取パッド１７１への水の供給が過多になり、水が拭取パッド１７１から流出して載置第１７７の下方にしたたり落ちても回収することができる。
【００４０】
図４は、水のＰｈと画質の関係を示すグラフ図である。
【００４１】
図４からは、水のＰｈが５から１０の範囲の水を使用することで、画質に与える悪影響が抑制されることが読みとれる。これは、使用するＰｈが７に近いほど、感光体１１の物性に与える悪影響を抑制できるためである。
【００４２】
図５は、水の濁度と画質の関係を示すグラフ図である。
【００４３】
図５からは、濁度が２以下の水を使用することで、画質に与える悪影響が抑制されることが読みとれる。これは、帯電ロール１２の付着物の拭取りに使用する水で帯電ロール１２を汚してしまうことを抑制できるからである。
【００４４】
図６は、水吸収パッドを備えたことによる効果を示す図である。
【００４５】
図６には、拭取パッドには水分を含まずに、水吸収パッドもなく従来通りに帯電ロール１２のクリーニングを行った場合（ここでは□）、本実施形態のプリンタ１において帯電ロールクリーナ１７から水吸収パッド１７２を省いた場合（ここでは△）、および、拭取パッド１７１と水吸収パッド１７２を備えた本実施形態のプリンタ１の場合（ここでは○）が示されており、ここからは、本実施形態のプリンタ１の場合（ここでは○）が最も画質が良いことが読みとれる。これは、付着物の拭取りの際に水を使用することで、画質の劣化抑制に貢献し、さらに、帯電ロール１２に残った水を取り除くことで、より一層画質の劣化が抑制されるためである。
【００４６】
図７は、拭取パッドの１立方センチメートルあたりの水の含有量と画質の関係を示すグラフ図である。
【００４７】
図７には、拭取パッド１７１の１立方センチメートルあたりの水の含有量が０．０１ｍｌ以上１０ｍｌ以下であると、画質に与える悪影響が抑制されることが示されており、含有量がこの範囲未満となると帯電ロール１２への付着物の付着力を弱めることができず、また、含有量がこの範囲を上回ると、帯電ロール１２に供給された水の水吸収パッド１７２による吸収がたらなくなることで、いずれも画質の劣化抑制の効果が薄まる様子が示されている。
【００４８】
図８は、図３に示すスクレーパと画質との関係を示すグラフ図である。
【００４９】
図８には、本実施形態のプリンタ１において、拭取パッド１７１へのスクレーパ１７９１による掻き取りを行った場合と、行わなかった場合との画質に対する影響が示されており、いずれの場合も、初期段階でにいては、画質の劣化を抑制する効果が同様に出ていることから画質は最高のグレード０となっているが、所定の画像形成動作終了後は、スクレーパ１７９１が使用されていない場合には、スクレーパ１７９１が使用されている場合に比べて画質の劣化が激しくなっている様子が示されている。これは、本実施形態のプリンタ１の様に拭取パッド１７１および水吸収パッド１７２を用いて帯電ロール１２に付着した付着物を拭き取っても、拭取パッド１７１についた付着物を掻き取ってやらなければ、せっかく帯電ロール１２から拭き取った付着物が再び帯電ロールに戻ってしまい、画質の劣化抑制効果が薄まるためである。
【００５０】
尚、以上に説明した本実施形態では、高分子ポリマ１７６、スクレーパ１７９１、水吸収パッド１７２、および、拭取パッド１７１に供給する水を溜めるタンク１７８３を備えた例を挙げて説明したが、本発明は、水の供給を受けて濡れた状態で帯電ロール上の付着物を拭き取る拭取パッドを備えていれば、これら一部又は全部が備えられていないものであってもよい。また、以上に説明した実施形態では、拭取パッド１７１の１立方センチメートルあたりの水の含有量が０．０１ｍｌ以上１０ｍｌ以下であり、使用する水が、ｐＨが７で濁度が２度のものを例に挙げて説明したが、拭取パッド１７１の１立方センチメートルあたりの水の含有量が０．０１ｍｌ以上１０ｍｌ以下ででなくても、濡れた状態が保持できる拭取パッドであれば、水の含有量がこれに限られるものではなく、また、水のＰｈが５以上１０以下で濁度が２以下であれば、Ｐｈが７で濁度が２度に限るものではなく、さらには水でさえあれば、Ｐｈがこの範囲以外で濁度が２を越えるものであってもよい。
【００５１】
次に、本発明の画像形成装置の第２実施形態について説明する。
【００５２】
図９は、本発明の画像形成装置の第２実施形態のプリンタの帯電ロールクリーナ近傍の概略構成図である。
【００５３】
図９には、第１実施形態のプリンタ１についての図２（ａ）に対応する図が示されており、図９に示す部材であって、図２（ａ）に示す部材と同じ種類の部材には、図２（ａ）において付されている符号と同じ符号を付している。
【００５４】
本実施形態のプリンタと第１実施形態のプリンタ１との相違点は、第２実施形態のプリンタには、帯電ロールクリーナ部１７による帯電ロール１２のクリーニングが終了し、載置第１７７が接触位置から離間位置への移動開始後から所定時間、送風機１９１および吸引機１９２による、感光体１１と帯電ロールとの接触部分近傍の換気がジョブの合間に所定時間行われる点であるので、以下この点を中心に説明する。
【００５５】
図９には、感光体１１と帯電ロール１２の接触部分に向けて送風する送風機１９１と、送風機１９１からの風を吸引してダクト１９２１を通じてプリンタ外部に送り出す吸引機１９２とが配設されている様子が示されている。
【００５６】
また、図９には、ステッピングモータ１７４の脱調などにより載置台１７７の位置の把握が不能に陥らないように、載置台１７７が接触位置に有る場合にオンになるスイッチ１７０１が備えられ、制御部１８には、換気を行う所定時間を計時するためのタイマ１８１が備えられている様子が示されている。
【００５７】
本実施形態のプリンタによれば、帯電ロールクリーナ部１７における、拭取パッド１７１および水吸収パッド１７２による帯電ロールのクリーニングの後に、さらに、感光体１と帯電ロール１２の接触部分近傍に対するこの換気により、帯電ロール１２の表面の水分が一層除去されることから、画質の劣化の抑制をより一層図ることができる。
【００５８】
図１０は、本実施形態で実行されるルーチンのフローチャートである。
【００５９】
図１０に示すルーチンは、このプリンタの電源投入と共に実行され、ステップＳ１では、帯電ロールクリーナ部１７による帯電ロール１２に対するクリーニングを指示し、ステップＳ２では、帯電ロールクリーナ部１７によるクリーニングが終了し、載置台１７が接触位置から離間位置への移動を開始したか否かを判定する。これは、図９に示すスイッチ１７０１がオフになったか否かにより判定でき、ステップＳ２において、開始していないと判定すると、ステップＳ２を繰り返し、開始したと判定すると、ステップＳ３に進む。ステップＳ３では、タイマ１８１をオンし、ステップＳ４では、送風機１９１および吸引機１９２を起動させる。ステップＳ５では、タイマの計時が所定時間（ここでは時間Ｔ）を越えたか否かを判定し、ステップＳ５において、計時が時間Ｔを越えていないと判定すると、ステップＳ４に進み、ステップＳ５において越えていると判定すると、ステップＳ６に進む。ステップＳ６では、送風機１９１および吸引機１９２を停止させる。ステップＳ７では、タイマ１８１をオフしリセットする。ステップＳ８では、ジョブがあるか否かを判定し、ジョブが無いと判定するとステップＳ８で待機し、ジョブが有ると判定するとステップＳ９に進み、画像形成を画像形成部１０に指示する。ステップＳ１０では、ジョブが終了したか否かを判定し、ステップＳ１０において、ジョブは終了していないと判定すると、ステップＳ９に戻り、終了したと判定するとステップＳ１に戻る。
【００６０】
尚、以上に説明した本実施形態では、載置台１７７の、接触位置から離間位置への移動開始からの時間を計時し、所定時間行われる換気動作の後に画像形成が行われる例を挙げて説明したが、本発明は、載置台１７７の、接触位置から離間位置への移動開始から所定時間経過後に画像形成がなされるようになっていれば、換気動作の後に限るものではない。
【図面の簡単な説明】
【００６１】
【図１】本発明の画像形成装置の一実施形態の概略構成図である。
【図２】図１に示す帯電ロールクリーナ部の詳細図である。
【図３】スクレーパを移動させる機構図である。
【図４】水のＰｈと画質の関係を示すグラフ図である。
【図５】水の濁度と画質の関係を示すグラフ図である。
【図６】水吸収パッドを備えたことによる効果を示す図である。
【図７】拭取パッドの１立方センチメートルあたりの水の含有量と画質の関係を示すグラフ図である。
【図８】図３に示すスクレーパと画質との関係を示すグラフ図である。
【図９】本発明の画像形成装置の第２実施形態のプリンタの帯電ロールクリーナ近傍の概略構成図である。
【図１０】本実施形態で実行されるルーチンのフローチャートである。
【符号の説明】
【００６２】
１  プリンタ
１０  画像形成部
１１  感光体
１２  帯電ロール
１７  帯電ロールクリーナ部
１７０  ガイド部材
１７０１  スイッチ
１７１  拭取パッド
１７２  水吸収パッド
１７３  回動アーム
１７４  ステッピングモータ
１７４ａ  回転軸
１７５  容器
１７６  高分子ポリマ
１７７  載置台
１７７ａ  凸部
１７８  水供給部
１７８１  分配器
１７８２  ビニールパイプ
１７８３  タンク
１７８３ａ  キャップ
１７９  掻取部
１７９１  スクレーパ
１７９２  螺旋棒
１８  制御部
１８１  タイマ
１９１  送風機
１９２  吸引機
１９２１  ダクト
【図１】
2007147713.tif 000003
【図２】
2007147713.tif 000004
【図３】
2007147713.tif 000005
【図４】
2007147713.tif 000006
【図５】
2007147713.tif 000007
【図６】
2007147713.tif 000008
【図７】
2007147713.tif 000009
【図８】
2007147713.tif 000010
【図９】
2007147713.tif 000011
【図１０】
2007147713.tif 000012